(57)【特許請求の範囲】
【請求項１】
左右一対の縦管と両縦管をつなぐ横管と縦横両管に亘って取り付けられる補強杆とからなる足場建枠を上下に連結すると共に、上側に連結される各足場建枠の高さを所要長さ高くするための連結具であって、上端部に上側足場建枠の縦管に差し込まれる上部連結ピンを形成し、下端部に下側足場建枠の縦管に差し込まれる下部連結ピンを形成した連結杆からなり、この連結杆には、上部連結ピンの側面より突出すると共にその側面から内部に退入自在な係合突起と、この係合突起と一体に形成されて連結杆のレバー孔から突出するレバー杆とが設けられていると共に、係合突起とレバー杆とを一体形成した一体構造物を係合突起及びレバー杆の突出方向に付勢させるＵ字状の板ばねが内蔵され、且つ下部連結ピンの側面より突出する連結用突起が設けられ、該連結用突起をその突出方向に付勢するＵ字状の板ばねが内蔵されてなり、この連結杆には、更にこの連結杆と、前後に対向して配置される足場建枠との間に架け渡して前記連結杆を補強する補強用筋かいの端部を止着するための止着部を設け、前記補強用筋かいの他端部はその一端部を止着する側の連結具と前後に対向する側の連結具によって連結される上側足場建枠の縦管の上端部に設けた止着部に止着するようにしてなる足場建枠用連結具。
【請求項２】
前記止着部は、補強用筋かいの端部に設けられたピン孔を挿通させるロック爪付きピンからなる請求項１に記載の足場建枠用連結具。
【発明の詳細な説明】
【０００１】
【発明の属する技術分野】
本発明は、足場建枠によって枠組足場を仮設するにあたり、足場建枠相互を上下に接続するのに使用される連結具に関する。
【０００２】
【従来の技術】
足場建枠は、左右一対の縦管と両縦管をつなぐ横管と縦横両管に亘って取り付けられる補強杆とからなるものであるが、これを順次組み立てて枠組足場を仮設するには、上下に対向する足場建枠相互を連結するための連結手段が必要となる。この連結手段として、上側足場建枠の縦管と下側足場建枠の縦管とに上下のピン部を差し込むようにした連結ピンが従来より使用されている。
【０００３】
【発明が解決しようとする課題】
ところで、上記足場建枠には、相当古くからの規格品が使用されているため、足場建枠の高さが、平均身長が高くなっている近年の作業者の背丈に比べて可なり低く、従って作業者がヘルメットを被って枠組足場を通行する際に、そのヘルメットが足場建枠の横管に当たると云った不都合を生じている。このような不都合を解消するために、全て丈の高い足場建枠に作り替えようとすれば、その製作に莫大な費用がかかる上、現在使用している足場建枠が無駄になり、またその処分にも非常に困ることになる。
【０００４】
そこで、本発明者は、足場建枠を上下に連結する連結ピンの長さを今まで使用していたものよりも長くしたロング連結ピンを使用することによって、枠組足場における各足場建枠の高さを高くすることを試みたが、そのようなロング連結ピンを使用した場合、連結ピンの長さが長くなることによって、足場としての支柱の座屈強度が低下すると云う新たな問題が生じている。これは、足場建枠に作用する荷重により、また連結ピンと足場建枠との嵌合上必要な隙間によって、連結ピンが揺動し、座屈が発生しやすい状況となるためである。
【０００５】
本発明は、枠組足場における各足場建枠の高さが高くなるように上記のようなロング連結ピン（連結杆）を単体で使用するわけであるが、足場建枠に作用する荷重や連結ピンと足場建枠の縦管との嵌合隙間によって生ずる当該連結ピンの揺動を低減させ、枠組み足場全体の強度低下を抑制することのできる足場建枠用連結具を提供することを目的とする。
【０００６】
【課題を解決するための手段】
請求項１に係る発明の足場建枠用連結具は、左右一対の縦管１，１と両縦管１，１をつなぐ横管２と縦横両管１，２に亘って取り付けられる補強杆３とからなる足場建枠ａ〜ｄを上下に連結すると共に、上側に連結される各足場建枠ｂ〜ｄの高さを所要長さ高くするための連結具であって、上端部に上側足場建枠ｂの縦管１に差し込まれる上部連結ピン７ｂを形成し、下端部に下側足場建枠ａの縦管１に差し込まれる下部連結ピン７ａを形成した連結杆７からなり、この連結杆７には、上部連結ピン７ｂの側面より突出すると共にその側面から内部に退入自在な係合突起１２と、この係合突起１２と一体に形成されて連結杆７のレバー孔１３から突出するレバー杆１４とが設けられていると共に、係合突起１２とレバー杆１４とを一体形成した一体構造物１５を係合突起１２及びレバー杆１４の突出方向に付勢させるＵ字状の板ばね１６が内蔵され、且つ下部連結ピン７ａの側面より突出する連結用突起１８が設けられ、該連結用突起１８をその突出方向に付勢するＵ字状の板ばね２０が内蔵されてなり、この連結杆７には、更にこの連結杆７と、前後に対向して配置される足場建枠ａ〜ｄとの間に架け渡して前記連結杆７を補強する補強用筋かい８の端部を止着するための止着部を設け、前記補強用筋かい８の他端部はその一端部を止着する側の連結具４と前後に対向する側の連結具４によって連結される上側足場建枠ｂの縦管１の上端部に設けた止着部に止着するようにしてなることを特徴とする。
【０００７】
請求項２は、請求項１に記載の足場建枠用連結具において、前記止着部は、補強用筋かい８の端部に設けられたピン孔９を挿通させるロック爪１０ａ付きピン１０からなることを特徴とする。
【０００８】
【発明の実施の形態】
図１は、足場建枠ａ〜ｄが本発明に係る足場建枠用連結具４によって上下複数段に連結された状態を示す正面図、図２は、上下複数段に連結された足場建枠ａ〜ｄが前後方向に所定間隔おきに配設された状態を示す側面図であり、図３は本発明に係る足場建枠用連結具４を示す。図１及び図２に示すように、各足場建枠ａ〜ｄは、左右一対の縦管１，１と、両縦管１，１をつなぐ横管２と、縦管１と横管２とに亘って取り付けられる補強杆３とからなる。
【０００９】
足場建枠用連結具４は、図３及び図４に示すように、上端部に上側足場建枠ｂの縦管１に差し込まれる上部連結ピン７ｂを形成し、下端部に下側足場建枠ａの縦管１に差し込まれる下部連結ピン７ａを形成した連結杆７からなり、この連結杆７の上端部には、この連結杆７と、前後に対向して配置される足場建枠ａ〜ｄとの間に架け渡して当該連結杆７を補強する補強用筋かい８の端部のピン孔９を挿通して止着するためのロック爪１０ａ付きピン１０（止着部）が、連結杆７の長手方向に直角に突設されている。
【００１０】
上記足場建枠用連結具４について図３及び図４を参照して詳細に説明すると、連結杆７は、全体が上下に貫通する円管状本体５を有し、この円管状本体５の長さ方向中央部側に短管部材６が嵌合されて溶接により円管状本体５に一体的に固着され、この短管部材６の上端から上方に延びる円管状本体５の上方部分が上部連結ピン７ｂを形成し、短管部材６の下端から下方に延びる円管状本体５の下方部分が下部連結ピン７ａを形成している。
【００１１】
そして、上記短管部材６と上下連結ピン７ａ，７ｂとの間に外周段部１１，１２を形成し、図４に示すように、上部連結ピン７ｂが差し込まれる上側足場建枠ａの縦管１はその下端面が上側の外周段部１１に当接することによって位置決めされ、また下部連結ピン６ｂが差し込まれる下側足場建枠ｂの縦管１はその上端面が下側の外周段部１２に当接することによって位置決めされる。
【００１２】
また図４に示すように、各連結杆７には、上部連結ピン７ｂの側面より突出すると共にその側面から内部に退入自在な係合突起１２と、この係合突起１２と一体に形成されて連結杆７のレバー孔１３から突出するレバー杆１４とが設けられていると共に、係合突起１２とレバー杆１４とを一体形成した一体構造物１５を係合突起１２及びレバー杆１４の突出方向に付勢させるＵ字状の板ばね１６が内蔵されている。
【００１３】
また、連結杆７の下端部には下部連結ピン７ａの側面より突出する連結用突起１８が設けられ、下側足場建枠ｂの縦管１の上端部には連結用突起１８に係合する連結孔１９が設けられ、該連結用突起１８は、Ｕ字状の板ばね２０によって互いに連結されていると共に、その板ばね２０によって下部連結ピン７ａの側面から突出付勢されている。
【００１４】
連結杆７の上端部に突設されたピン１０（止着部）は、ばね付勢式ロック爪１０ａを有するもので、このピン１０に補強用筋かい８の一端部を止着するにあたっては、補強用筋かい８の端部のピン孔９を図３の実線で示す位置から連結杆７のピン１０に押し込むように挿通させると、このピン孔９の挿通時にロック爪１０ａが引っ込み、ピン孔９が図３の仮想線図示及び図４の実線図示のようにピン１０の根元まで入ると、ロック爪１０ａがばね付勢力で図示のようなロック位置に突出して補強用筋かい８の端部を止着する。この補強用筋かい８の他端部は、この補強用筋かい８の一端部を止着する側の足場建枠用連結具４と前後に対向する側の足場建枠用連結具４によって連結される上側足場建枠ｂの縦管１の上端部に設けてある同様なロック爪１０ａ付きピン１０に止着される（図５参照）。
【００１５】
上記足場建枠用連結具４の寸法の一例を示せば、図３に示すように、連結杆７の全長Ｌは３５０ｍｍ、この連結杆７の上下端部に形成される上部連結ピン７ｂ及び下部連結ピン７ａのそれぞれの長さｎは８５ｍｍ、連結杆７の全長から上下両連結ピン７ａ，７ｂを除いた部分の長さ（短管部材６の長さ）ｍは１８０ｍｍとされる。因みに、従来の連結ピンでは、その全長が例えば２００ｍｍ、上下ピン部のそれぞれ長さが８５ｍｍで、上側ピン部と下側ピン部との間の長さが３０ｍｍであるから、本発明に係る連結杆７を使用すれば、従来の連結ピンの使用時よりも、足場建枠の高さを約１５０ｍｍ高くすることができる。
【００１６】
上記のように構成される足場建枠用連結具４を使用して足場建枠ａ〜ｄを上下に連結するには、図３及び図４に示すように、先ず、連結杆７の下部連結ピン７ａを下側足場建枠ａの縦管１上端部に差し込む。この際、連結杆７の下部連結ピン７ａ側面から突出している連結用突起１８を板ばね２０に抗して内方へ押し込んだ状態で下部連結ピン７ａを縦管１の上端部に差し込むと、連結杆７の下側外周段部１２が縦管１の上端面に当接した位置で連結用突起１８が縦管１上端部の連結孔１９に係合し、それにより連結杆７の下部連結ピン７ａが下側足場建枠ａの縦管１にロックされて、足場建枠用連結具４が下側足場建枠ａに固定される。尚、下部連結ピン７ａを縦管１から抜き出す際には、連結用突起１８は板ばね２０の付勢力に抗して指で縦管１内に没入させて連結用突起１８と縦管１との係合状態を解除させればよい。
【００１７】
次に、上記のように下側足場建枠ａに固定させた足場建枠用連結具４の連結杆７の上部連結ピン７ｂに、上側足場建枠ｂの縦管１を差し込む。この際、差し込み途上で係合突起１２と一体のレバー杆１４を作業者の足先で下方側に且つ退入方向に押圧することによって係合突起１２が連結杆７の内部に退入することになるから、上側足場建枠ｂの縦管１下端部が連結杆７に挿入されるのを許し、しかして縦管１下端部の係合孔１７に係合突起１２が面する位置まで挿入されると、この係合突起１２は板ばね１６により付勢突出して係合孔１７に係合し、連結杆７の上部連結ピン７ｂが上側足場建枠ｂの縦管１にロックされ、それによって上下の足場建枠ａ，ｂが互いに連結されることになる。以上は足場建枠ａ，ｂ相互の連結について説明したが、足場建枠ｂ〜ｄ相互の連結についても上記と同様に行う。
【００１８】
こうして足場建枠ａ〜ｄを足場建枠用連結具４によって上下複数段に連結すると共に、この上下複数段に連結した足場建枠ａ〜ｄを前後方向に複数組枠組みし、しかして図５に示すように前後に対向する各段の足場建枠ａ〜ｄ相互間に補強用筋かい８をＸ字状に張架する。この場合、補強用筋かい８の一端部（ピン孔９）は、足場建枠用連結具４の連結杆７に設けてある止着部（ピン１０）に止着し、その他端部（ピン孔）は、この補強用筋かい８の一端部を止着する側の足場建枠用連結具４と前後に対向する側の足場建枠用連結具４によって連結される足場建枠ａ〜ｄの縦管１の上端部に設けてある同様な止着部（ピン）に止着する。
【００１９】
上記のようにして前後に対向する各段の足場建枠ａ〜ｄ相互間に補強用筋かい８をＸ字状に張架した後、前後に対向する各段の足場建枠ａ〜ｄ相互間における横管２，２に足場板２１をフック２２を介して架け渡す。尚、図１及び図２において、２３及び２４は根がらみ用単管で、足場建枠ａの縦管１にそれぞれパイプクランプで取り付けられる。
【００２０】
以上のように下側足場建枠ａの縦管１上端部と上側足場建枠ｂの縦管１下端部とが足場建枠用連結具５により連結されることによって（他の足場建枠ｃ，ｄについても同じ）、上側足場建枠ｂの高さが連結杆７の短管部材６長さ分だけ高くなる。この場合、短管部材６の長さが１８０ｍｍ程度、連結杆７の全長は３５０ｍｍ程度と従来の連結ピンに比べて相当長くなっているが、この足場建枠用連結具４の使用にあっては、足場建枠用連結具４の連結杆７と、前後に対向して配置される足場建枠との間に補強用筋かい８を架け渡すことによって、連結杆７を補強するようにしているから、足場建枠ｂ〜ｄに作用する荷重や連結杆７と足場建枠ａ〜ｄの縦管１との嵌合隙間によって生ずる当該連結杆７の揺動を低減させ、それによって連結杆７の座屈を防止できると共に、枠組み足場全体の強度低下を抑制でき、それによってまた枠組み足場全体が構造的にきわめて安定したものとなり、使用上の安全が確保される。
【００２１】
また、足場建枠用連結具４の連結杆７と、前後に対向して配置される足場建枠との間に補強用筋かい８を架け渡すにあたって、連結杆７の上端部側に止着部としてのロック爪１０ａ付きピン１０を突設し、このピン１０に補強用筋かい８の一端部に設けてあるピン孔９を挿通させ、また補強用筋かい８の他端部はそのピン孔９を足場建枠ａ〜ｄの縦管１の上端部に設けてある同様なロック爪付きピンに挿通させるようにしているから、補強用筋かい８の架け渡し作業を簡単容易に行うことができると共に、補強用筋かい８の端部がその止着部から容易に外れることがなく、安全性を確保できる。
【００２２】
また、以上の実施形態では、足場建枠用連結具４の上下連結ピン７ａ，７ｂを足場建枠ａ〜ｄの縦管１にそれぞれ差し込んだ状態でロックするロック手段についても説明しているが、このロック手段は一例を示したもので、これ以外のどのようなロック手段を使用してもよい。
【００２３】
【発明の効果】
請求項１に係る発明の足場建枠用連結具は、上端部に上側足場建枠の縦管に差し込まれる上部連結ピンを形成し、下端部に下側足場建枠の縦管に差し込まれる下部連結ピンを形成した連結杆からなるもので、この連結杆に、この連結杆と、前後に対向して配置される足場建枠との間に架け渡して前記連結杆を補強する補強用筋かいの端部を止着するための止着部を設けているから、枠組足場における足場建枠の高さを高くすることができながら、連結杆と、前後に対向して配置される足場建枠との間に補強用筋かいを架け渡すことによって、足場建枠に作用する荷重や連結杆と足場建枠の縦管との嵌合隙間によって生ずる当該連結杆の揺動を低減させ、それによって連結杆の座屈を防止できると共に、枠組み足場全体の強度低下を抑制でき、それによってまた枠組み足場全体が構造的にきわめて安定したものとなり、使用上の安全を確保することができる。
【００２４】
請求項２に記載のように、止着部が、補強用筋かいの端部に設けられたピン孔を挿通させるロック爪付きピンからなるため、連結杆への補強用筋かいの止着作業が簡単容易に行えると共に、補強用筋かいの端部がその止着部から容易に外れることがなく、安全性を確保できる。
【図面の簡単な説明】
【図１】足場建枠が本発明に係る足場建枠用連結具によって上下複数段に  連結された状態を示す正面図。
【図２】上下複数段に連結された足場建枠が前後方向に所定間隔おきに配  設された状態を示す側面図である。
【図３】足場建枠用連結具を示す拡大正面図である。
【図４】図１に矢印Ａで囲まれる部分の足場建枠用連結具の一部断面拡大  正面図である。
【図５】足場建枠用連結具の連結杆と足場建枠の縦管とにわたって補強用筋かいが架け渡された状態を示す背面図である。
【符号の説明】
ａ，ｂ，ｃ，ｄ      足場建枠
１                  足場建枠の縦管
２                  足場建枠の横管
３                  補強杆
４                  足場建枠用連結具
７                  連結杆
７ａ                下部連結ピン
７ｂ                上部連結ピン
８                  補強用筋かい
９                  ピン孔
１０                ロック爪付きピン（止着部）
１０ａ              ロック爪
【図１】
0003631400.tif 000002
【図２】
0003631400.tif 000003
【図３】
0003631400.tif 000004
【図４】
0003631400.tif 000005
【図５】
0003631400.tif 000006